(57)【特許請求の範囲】
【請求項１】
貯湯タンクと、
該貯湯タンク内の湯水を沸かし上げるタンク用加熱機と、
前記貯湯タンクの湯水を導出する出湯管と、
該出湯管に介設されて該出湯管を流れる湯水をバーナの燃焼により加熱する燃焼給湯器と、
該燃焼給湯器と前記貯湯タンクとの間の出湯管から分岐して該燃焼給湯器の下流の出湯管に接続するバイパス管と、
該バイパス管を開閉するバイパス弁と、
前記貯湯タンクの貯湯量を検出する貯湯量検出手段と、
該貯湯量検出手段により検出された前記貯湯タンクの湯量が所定量以上のとき、前記バイパス弁を開弁させて前記バイパス管を介して給湯を行い、前記貯湯量検出手段により検出された前記貯湯タンクの湯量が所定量未満のとき、前記バイパス弁を閉弁させて前記出湯管の湯水を前記燃焼給湯器へ流す制御を行うタンク制御手段と、
該タンク制御手段からの指示により前記タンク用加熱機による貯湯タンク内の湯水の沸かし上げを実行する沸かし上げ制御手段と、
前記タンク制御手段と通信可能に接続されて前記燃焼給湯器の運転を制御する給湯器制御手段とを備える給湯システムにおいて、
前記タンク制御手段は、前記燃焼給湯器との正常な連携が可能か否かを判断する連携可否判断手段を備え、該連携可否判断手段により前記燃焼給湯器との正常な連携が不可能であると判断されたとき、前記バイパス弁を開弁させると共に、前記貯湯量検出手段により検出される前記貯湯タンクの湯量が所定量以上となるように前記沸かし上げ制御手段を介して前記タンク用加熱機による貯湯タンク内の湯水の沸かし上げを実行させることを特徴とする給湯システム。
【請求項２】
請求項１記載の給湯システムにおいて、
前記連携可否判断手段は、前記燃焼給湯器が正常な運転を行い得るか否かによって、前記燃焼給湯器との正常な連携が可能か否かを判断することを特徴とする給湯システム。
【請求項３】
請求項１又は２記載の給湯システムにおいて、
前記連携可否判断手段は、前記タンク制御手段と前記給湯器制御手段とが正常な通信を行い得るか否かによって、前記燃焼給湯器との正常な連携が可能か否かを判断することを特徴とする給湯システム。
【発明の詳細な説明】
【技術分野】
【０００１】
本発明は、貯湯タンクの下流側に燃焼給湯器を接続した給湯システムに関する。
【背景技術】
【０００２】
従来、ヒートポンプ等の加熱機により沸かし上げた湯を貯める貯湯タンクと、貯湯タンクの下流側に直列に接続した燃焼給湯器とを備える給湯システムが知られている（例えば、特許文献１参照）。この給湯システムによれば、貯湯タンクに湯切れが生じて貯湯タンクから導出する湯の温度が低下したとき、燃焼給湯器によって所望の温度に追い加熱して給湯することができる。
【０００３】
しかし、貯湯タンクの下流側に燃焼給湯器を直接に接続した場合、貯湯タンクから燃焼給湯器を経由して出湯管の出口に至る湯の流通経路が長くなり、燃焼給湯器を経由する流通経路における湯水の放熱が大きい。
【０００４】
そこで、燃焼給湯器を迂回するバイパス管を設けると共に、このバイパス管を開閉するバイパス弁を設けることが行われている。これによれば、貯湯タンクに湯切れが生じていない場合にはバイパス弁を開弁して出湯管の出口に貯湯タンクの湯水を送ることで、放熱を低減させることができる。
【先行技術文献】
【特許文献】
【０００５】
【特許文献１】特開２０００−３２９４０１号公報
【発明の概要】
【発明が解決しようとする課題】
【０００６】
しかし、貯湯タンクに湯切れが生じたときにバイパス弁を閉弁して燃焼給湯器による追い加熱を行おうとしても、燃焼給湯器が故障している場合や燃焼給湯器への通電が停止している場合等には、燃焼給湯器による追い加熱が行えないために使用者が所望する給湯が行えない。
【０００７】
しかも、近年では、安価な夜間電力を用いるために、夜間に自動的にヒートポンプを作動させて沸かし上げ運転を行い、昼間使う分の湯を貯湯タンクに貯えておくことが行われる。この場合には、昼間の高価な電力消費を避けるために、夜間以外でのヒートポンプによる沸かし上げ運転を禁止する制御が行われるため、昼間においては、貯湯タンクの湯切れを防止するためのヒートポンプによる沸かし上げ運転が行えない。
【０００８】
このように、貯湯タンクに湯切れが生じたときに燃焼給湯器との正常な連携が行えない場合には、使用者が所望する正常な給湯が行えなくなる事態が生じる不都合があった。
【０００９】
上記の点に鑑み、本発明は、燃焼給湯器との正常な連携が行えない場合であっても、確実に給湯することができる給湯システムを提供することを目的とする。
【課題を解決するための手段】
【００１０】
本発明は、貯湯タンクと、該貯湯タンク内の湯水を沸かし上げるタンク用加熱機と、前記貯湯タンクの湯水を導出する出湯管と、該出湯管に介設されて該出湯管を流れる湯水をバーナの燃焼により加熱する燃焼給湯器と、該燃焼給湯器と前記貯湯タンクとの間の出湯管から分岐して該燃焼給湯器の下流の出湯管に接続するバイパス管と、該バイパス管を開閉するバイパス弁と、前記貯湯タンクの湯量を検出する貯湯量検出手段と、該貯湯量検出手段により検出された前記貯湯タンクの湯量が所定量以上のとき、前記バイパス弁を開弁させて前記バイパス管を介して給湯を行い、前記貯湯量検出手段により検出された前記貯湯タンクの湯量が所定量未満のとき、前記バイパス弁を閉弁させて前記出湯管の湯水を前記燃焼給湯器へ流す制御を行うタンク制御手段と、該タンク制御手段からの指示により前記タンク用加熱機による貯湯タンク内の湯水の沸かし上げを実行する沸かし上げ制御手段と、前記タンク制御手段と通信可能に接続されて前記燃焼給湯器の運転を制御する給湯器制御手段とを備える給湯システムにおいて、前記タンク制御手段は、前記燃焼給湯器との正常な連携が可能か否かを判断する連携可否判断手段を備え、該連携可否判断手段により前記燃焼給湯器との正常な連携が不可能であると判断されたとき、前記バイパス弁を開弁させると共に、前記貯湯量検出手段により検出される前記貯湯タンクの湯量が所定量以上となるように前記沸かし上げ制御手段を介して前記タンク用加熱機による貯湯タンク内の湯水の沸かし上げを実行させることを特徴とする。
【００１１】
前記タンク制御手段は、前記連携可否判断手段を備えることにより、前記貯湯タンクの湯量が所定量未満となって前記バイパス弁を閉弁させるのに先だって、前記燃焼給湯器が正常に連携できる状態が否かを判断することができる。そして、前記連携可否判断手段により前記燃焼給湯器との正常な連携が不可能であると判断されたとき、前記タンク制御手段は、バイパス弁を開弁させた状態を維持し、貯湯タンクからの給湯を行う。このとき、前記燃焼給湯器による追い加熱は行えないが、前記貯湯量検出手段により検出される前記貯湯タンクの湯量が所定量以上となるように前記沸かし上げ制御手段を介して前記タンク用加熱機による貯湯タンク内の湯水の沸かし上げを実行させるので、貯湯タンクからの給湯が可能となる。従って、燃焼給湯器との正常な連携が行えない場合には貯湯タンクの湯切れが防止され、確実に給湯することができる。
【００１２】
本発明において、前記連携可否判断手段は、前記燃焼給湯器が正常な運転を行い得るか否か、或いは、前記タンク制御手段と前記給湯器制御手段とが正常な通信を行い得るか否かによって、前記燃焼給湯器との正常な連携が可能か否かを判断することが挙げられる。
【００１３】
前記燃焼給湯器が正常な運転を行えない状態とは、例えば、前記燃焼給湯器が故障している場合や、前記燃焼給湯器に通電されていない場合等が考えられる。また、前記タンク制御手段と前記給湯器制御手段とが正常な通信を行えない状態とは、例えば、タンク制御手段と給湯器制御手段とを電気的に接続する通信線が断線している場合や、給湯器制御手段に通電されていない場合等が考えられる。
【００１４】
前記連携可否判断手段は、このような燃焼給湯器の状態、或いは、タンク制御手段と給湯器制御手段との通信状態により、前記の連携が可能か否かを確実に判断することができる。
【図面の簡単な説明】
【００１５】
【図１】本発明の給湯システムの構成図。
【図２】タンクコントローラの主要な動作を示すフローチャート。
【発明を実施するための形態】
【００１６】
本発明の一実施形態を図面に基づいて説明する。図１に示すように、本実施形態の給湯システムは、タンクユニット１と、ヒートポンプ２と、燃焼給湯器３とにより構成されている。
【００１７】
タンクユニット１は、湯水が充填された貯湯タンク４を備えている。貯湯タンク４の上部には出湯管５の上流端が接続され、出湯管５を通して貯湯タンク４の湯水が導出される。出湯管５の下流端には図示しないカラン等の出湯栓が接続される。
【００１８】
貯湯タンク４の下部には給水管６が接続されている。給水管６は、その上流端が水道に接続されている。給水管６は、分岐部７で２方向に分岐し、その一方の下流端が貯湯タンク４に接続されている。他方の下流端は出湯管５の途中の合流部８に接続されている。
【００１９】
分岐部７よりも上流側の給水管６には、通水流量を検出する第１水量センサ９と、給水管６を流れる水（水道水）の温度を検出する入水サーミスタ１０とが設けられている。
【００２０】
分岐部７と貯湯タンク４との間の給水管６には、貯湯タンク４から給水管６への逆流を防止するタンク側逆止弁１１と、貯湯タンク４への給水量（貯湯タンク４から導出される湯量と同量）を検出する第２水量センサ１２と、貯湯タンク４から導出される湯量を制御するための導出湯量調節弁１３とが設けられている。
【００２１】
分岐部７から出湯管５の合流部８までの給水管６には、出湯管５から給水管６への逆流を防止する出湯管側逆止弁１４と、合流部８を介して出湯管５に合流させる入水量を調節することにより、貯湯タンク４から導出された湯の温度を調節する混合水量調節弁１５とが設けられている。
【００２２】
合流部８と貯湯タンク４との間の出湯管５には、貯湯タンク４から導出する湯水の温度を検出するタンク出湯サーミスタ１６が設けられており、合流部８の下流側の出湯管５には、給水管６から供給させる水道水が混合された後の湯水の温度を検出する混合サーミスタ１７が設けられている。
【００２３】
出湯管５は、混合サーミスタ１７の下流からタンクユニット１の外部に延び、燃焼給湯器３の後述する給湯器回路１８を経た後、再びタンクユニット１の内部に入る。そして、タンクユニット１の内部において、給湯器回路１８に向かう側の出湯管５と給湯器回路１８の下流側からタンクユニット１の内部に延びる出湯管５との間には、両者を連通させる出湯バイパス管１９が接続されている。出湯バイパス管１９の上流接続部２０と下流接続部２１との間にはバイパス弁２２が設けられている。バイパス弁２２は全開から全閉まで無段階或いは多数段階で開閉させることができるものが採用される。
【００２４】
バイパス弁２２が閉弁すると、貯湯タンク４からの湯水は燃焼給湯器３の給湯器回路１８を流れ、バイパス弁２２が開弁すると、貯湯タンク４からの湯水は出湯バイパス管１９を流れて出湯管５の終端に設けられた出湯栓へ向かう。
【００２５】
出湯バイパス管１９の下流接続部２１よりも下流側の出湯管５には、出湯栓へ向かう湯水の温度を検出する給湯出口サーミスタ２３が設けられている。
【００２６】
貯湯タンク４の上部位置には、貯湯タンク４に貯められた湯水の温度を検出する第１貯湯サーミスタ２４が設けられている。また、貯湯タンク４の第１貯湯サーミスタ２４よりも所定距離を存した下方位置には第２貯湯サーミスタ２５が設けられている。第１貯湯サーミスタ２４及び第２貯湯サーミスタ２５は、本発明の貯湯量検出手段を構成するものである。
【００２７】
ここで、貯湯タンク４内部に充填された湯の状態を説明する。出湯管５は貯湯タンク４の上部に接続され、給水管６は貯湯タンク４の下部に接続されている。このため、貯湯タンク４の湯が給湯使用されると、出湯管５から湯が導出されて貯湯タンク４の湯が減少したぶん、貯湯タンク４の下部の給水管６から水が供給される。それに応じて、貯湯タンク４内では、上部に高温の湯層が形成され、下部に低温の水層が形成される。また、湯層と水層とは上下に互いに接しているため、湯層と水層との接触部分には湯層よりも温度が低く水層よりも温度の高い中間層が形成される。中間層の温度は湯層に接する部分から水層に接する部分にかけて、次第に温度が低くなっている。
【００２８】
貯湯タンク４の湯層が減少すると、出湯管５が接続された貯湯タンク４の出口近傍の温度が低くなる。そして、貯湯タンク４から所定の温度の湯が得られなくなったとき、一般に湯切れと言われる状態となる。貯湯タンク４で湯切れが生じると、貯湯タンク４からは温度の低い湯水が導出される。
【００２９】
湯切れ状態は、第１貯湯サーミスタ２４の検出温度によって判断することができる。また、第２貯湯サーミスタ２５の検出温度によって、貯湯タンク４内の貯湯量が充分であるか否かが判断できる。即ち、第１貯湯サーミスタ２４の検出温度により中間層或いは水層が確認されれば、貯湯タンク４の湯量が第１貯湯サーミスタ２４の位置（湯量が所定量となる位置）まで貯まっていないため貯湯タンク４が湯切れしたと判断でき、第２貯湯サーミスタ２５の検出温度により湯層が確認されれば、貯湯タンク４には十分な湯が貯められていると判断できる。
【００３０】
タンクユニット１は、マイクロコンピュータ等により構成されたタンクコントローラ２６（タンク制御手段）を備えている。タンクコントローラ２６には、使用者の操作に応じて、所望の給湯温度（出湯栓から出る湯の温度）を設定するための温度スイッチ等の複数の操作スイッチ（図示省略）を備えたリモートコントローラ２７（以下、リモコンと言う）が接続されている。
【００３１】
タンクコントローラ２６は、第１貯湯サーミスタ２４の検出温度によって湯層が確認されて、貯湯タンク４に湯切れが生じていない場合に、混合温調制御を実行する。
【００３２】
混合温調制御は、混合サーミスタ１７又は給湯出口サーミスタ２３の検出温度が目標給湯温度（使用者がリモコン２７で設定した給湯温度）になるように、導出湯量調節弁１３の開度と混合水量調節弁１５の開度とを制御することにより、貯湯タンク４からの湯水と給水管６からの水との混合比を調節する。
【００３３】
また、タンクコントローラ２６は、貯湯タンク４の湯切れの有無に応じてバイパス弁２２の作動を制御すると共に、燃焼給湯器３に対して加熱を禁止する信号、又は加熱を許可する信号を送信する。
【００３４】
また、タンクコントローラ２６は、夜間沸かし上げモードと常時沸かし上げモードとを選択実行することができるようになっている。夜間沸かし上げモードは、夜間電気料金が適用される時間帯（例えば、２３時〜７時の８時間）にのみヒートポンプ２による貯湯タンク４内の湯水の沸かし上げ動作を行うモードである。即ち、夜間電気料金が適用される時間帯に、学習により得た一日分の必要量、或いは、貯湯タンクの容量の全量の湯を貯湯タンク４に貯留しておく。夜間沸かし上げモードが選択された場合、昼間の給湯で貯湯タンク４に貯留された湯が使用され、貯湯タンク４に湯切れが生じても、ヒートポンプ２による貯湯タンク４内の湯水の沸かし上げ動作は行わない。そして、貯湯タンク４に湯切れが生じたときには、タンクコントローラ２６は、燃焼給湯器３に対して加熱を許可する信号を送信し、バイパス弁２２を閉弁して、燃焼給湯器３による追い加熱を行えるようにする。
【００３５】
一方、常時沸かし上げモードは、昼間の時間帯であっても、ヒートポンプ２による貯湯タンク４内の湯水の沸かし上げ動作を行うモードである。即ち、昼間の給湯において貯湯タンク４の第１貯湯サーミスタ２４の検出温度が沸かし上げ開始温度（例えば６０℃未満）となった場合、ヒートポンプ２による貯湯タンク４内の湯水を所定の沸かし上げ温度（例えば８０℃）に沸かし上げる動作を行う。
【００３６】
ヒートポンプ２は、本発明のタンク用加熱機として設けられているものである。ヒートポンプ２は、冷媒循環路２８を備え、冷媒循環路２８には、圧縮機２９、水熱交換器（凝縮器）３０、膨張弁（減圧器）３１、及び空気熱交換器（蒸発器）３２が設けられている。
【００３７】
水熱交換器３０は、貯湯タンク４の上部及び下部に接続されたタンク循環路３３に接続され、冷媒循環路２８の冷媒とタンク循環路３３の湯水とを熱交換させることによって、タンク循環路３３の湯水を加熱する。
【００３８】
タンク循環路３３には、貯湯タンク４と水熱交換器３０との間で湯水を強制的に循環させる循環ポンプ３４と、水熱交換器３０から貯湯タンク４に向かう湯水の温度を検出する下流サーミスタ３５と、貯湯タンク４から水熱交換器３０に向かう湯水の温度を検出する上流サーミスタ３６とが設けられている。
【００３９】
ヒートポンプ２は、マイクロコンピュータ等により構成されたヒートポンプコントローラ３７（沸かし上げ制御手段）を備えている。ヒートポンプコントローラ３７は、タンクコントローラ２６と通信線３８を介して接続され、タンクコントローラ２６から加熱指示信号を受信したときに、タンク循環路３３に設けられている上流サーミスタ３６及び下流サーミスタ３５の検出温度に基づいて、貯湯タンク４の湯水を予め設定された沸かし上げ温度（例えば８０℃）に沸かし上げる。
【００４０】
タンクコントローラ２６は、上述したように、夜間沸かし上げモードと常時沸かし上げモードとを選択実行し、夫々のモードに応じてヒートポンプコントローラ３７に前記加熱指示信号を送信する。
【００４１】
燃焼給湯器３は、ガス湯沸し器等の周知の構成のものが採用されている。即ち、燃焼給湯器３は、給湯器回路１８と、燃料ガスにより燃焼するバーナ３９と、マイクロコンピュータ等により構成された給湯器コントローラ４０（給湯器制御手段）とを備えている。給湯器回路１８は、前述した通り、タンクユニット１のから延びる出湯管５に接続されていることにより、出湯管５の一部を構成している。
【００４２】
給湯器回路１８には、バーナ３９により加熱される給湯熱交換器４１と、給湯熱交換器４１をバイパスする給湯バイパス管４２と、給湯熱交換器４１への湯水の流量と給湯バイパス管４２への湯水の流量との分配比を変更するバイパスサーボ４３と、燃焼給湯器３に供給される湯水の流量を調節する絞り弁である水量サーボ４４とが設けられている。
【００４３】
更に、給湯器回路１８には、給湯熱交換器４１及び給湯バイパス管４２に供給される湯水の流量を検出する第３水量センサ４５と、給湯バイパス管４２の下流側に流れる湯の温度を検出する給湯器サーミスタ４６とが設けられている。
【００４４】
給湯器コントローラ４０は、タンクコントローラ２６と通信線４７を介して通信可能に接続されている。
【００４５】
給湯器コントローラ４０は、タンクコントローラ２６から加熱許可を指示する信号を受信したときに加熱許可状態となる。そして、第３水量センサ４５により所定の下限流量以上の通水が検出されているときに、給湯器サーミスタ４６の検出温度が目標給湯温度（使用者がリモコン２７で設定した給湯温度）となるように、バーナ３９の燃焼量を制御する給湯器温調制御を実行する。
【００４６】
また、給湯器コントローラ４０は、タンクコントローラ２６から加熱禁止を指示する信号を受信したときに加熱禁止状態となり、給湯器温調制御の実行が禁止される。
【００４７】
更に、給湯器コントローラ４０は、バーナ３９が正常に燃焼できない等の故障が生じた場合には、その故障を検出してタンクコントローラ２６にエラーコードを送信する。
【００４８】
タンクコントローラ２６は、バイパス弁２２との開閉動作と燃焼給湯器３との正常な連携が可能か否かを判断する連携可否判断手段をこの機能として備えている。タンクコントローラ２６は、給湯器コントローラ４０から送信されるエラーコードを受信したときに（燃焼給湯器が正常な運転を行うことができないときに）、連携可否判断手段の機能により燃焼給湯器３の連携が不可であると判断する。
【００４９】
また、タンクコントローラ２６は、給湯器コントローラ４０への各種信号の送信開始時に給湯器コントローラ４０に対してチェック信号を送る。このチェック信号に対して給湯器コントローラ４０からの返信がタンクコントローラ２６側で受信できなかったときには、通信線４７の断線等によりタンクコントローラ２６と給湯器コントローラ４０との間で通電不能（正常な通信が行えない状態）となっていることが考えられるため、タンクコントローラ２６は、連携可否判断手段の機能により燃焼給湯器３の連携が不可であると判断する。
【００５０】
そして、タンクコントローラ２６は、連携可否判断手段の機能により燃焼給湯器３の連携が不可であると判断したときには、バイパス弁２２を開弁状態として常時沸かし上げモードを選択する。
【００５１】
ここで、タンクコントローラ２６による本発明の要旨に係る作動について図２のフローチャートを参照して説明する。
【００５２】
先ず、タンクユニット１の電源がＯＮされることによりタンクコントローラ２６による制御動作が開始されるとＳＴＥＰ１で給水管６の通水の有無を判断し、使用者により給湯が開始されて（出湯栓が開栓されて）通水有りとなったときＳＴＥＰ２へ進む。ＳＴＥＰ１においては、第１水量センサ９により下限流量以上の通水が検出されたときを通水有りとしている。
【００５３】
ＳＴＥＰ２へ進むと、タンクコントローラ２６は連携可否判断手段の機能により燃焼給湯器３の連携が可能か否かを判断する。そして、ＳＴＥＰ２において燃焼給湯器３の連携が可能であると判断された場合にはＳＴＥＰ３へ進み、連携が不可能であると判断された場合にはＳＴＥＰ１０へ進む。ＳＴＥＰ３へ進むと、タンクコントローラ２６は夜間沸かし上げモードとなる。ＳＴＥＰ１０へ進むと、タンクコントローラ２６は常時沸かし上げモードとなる。
【００５４】
ＳＴＥＰ３へ進んだ場合、タンクコントローラ２６は、夜間電気料金が適用される時間帯（例えば、２３時〜７時の８時間）にヒートポンプ２に対し貯湯タンク４の湯水の沸かし上げ動作を指示し、昼間はヒートポンプ２に対しその運転を禁止するモードとなる。
【００５５】
タンクコントローラ２６は、ＳＴＥＰ３からＳＴＥＰ４へ進むと、貯湯タンク４に湯切れが生じているか否かを判断する。ＳＴＥＰ４で貯湯タンク４に湯切れが生じていた場合には、ＳＴＥＰ５〜ＳＴＥＰ８の処理を行った後ＳＴＥＰ９へ進み、ＳＴＥＰ４で貯湯タンク４に湯切れが生じていない場合には、ＳＴＥＰ１１〜ＳＴＥＰ１４の処理を行った後ＳＴＥＰ９へ進む。
【００５６】
貯湯タンク４に湯切れが生じていることによりＳＴＥＰ５へ進むと、タンクコントローラ２６は給湯器コントローラ４０に対して燃焼給湯器３の運転を許可する。次いで、ＳＴＥＰ６でバイパス弁２２を閉弁させ、ＳＴＥＰ７へ進んで給湯器コントローラ４０を介して水量サーボ４４を開弁させる。
【００５７】
そして、ＳＴＥＰ８で給湯器コントローラ４０を介して給湯器温調制御を実行する。この給湯器温調制御によって、第３水量センサ４５により所定の下限流量以上の通水が検出されているときに、給湯器サーミスタ４６の検出温度が目標給湯温度（使用者がリモコン２７で設定した給湯温度）となるようにバーナ３９の燃焼量等が制御される。これにより、貯湯タンク４から導出した比較的低い温度の湯水に対して燃焼給湯器３による追い加熱が行われ、貯湯タンク４に湯切れが生じていても、所望の温度で確実に給湯することができる。
【００５８】
その後、タンクコントローラ２６は、ＳＴＥＰ９で使用者による給湯停止が検出されない場合には、ＳＴＥＰ２へ戻り、使用者による給湯停止が検出された場合には、ＳＴＥＰ１へ戻る。ＳＴＥＰ９においては、第１水量センサ９により下限流量以上の通水が検出されない止水状態となったとき止水有りとする。
【００５９】
また、貯湯タンク４に湯切れが生じていないことにより、ＳＴＥＰ１１へ進むと、タンクコントローラ２６は給湯器コントローラ４０に対して燃焼給湯器３の運転を禁止する。次いで、ＳＴＥＰ１２でバイパス弁２２を開弁させ、ＳＴＥＰ１３へ進んで給湯器コントローラ４０を介して水量サーボ４４を閉弁させる。これにより、貯湯タンク４から導出された湯水（この場合には十分な温度を有する湯）は、給湯器回路１８への流れが確実に遮断されて出湯バイパス管１９を通る。
【００６０】
そして、タンクコントローラ２６は、ＳＴＥＰ１４で混合温調制御を実行する。混合温調制御によって、混合サーミスタ１７又は給湯出口サーミスタ２３の検出温度が目標給湯温度（使用者がリモコン２７で設定した給湯温度）となるように、導出湯量調節弁１３の開度と混合水量調節弁１５の開度とを制御する。これにより、貯湯タンク４からの湯水と給水管６からの水との混合比が調節され、所望の温度で確実に給湯することができる。
【００６１】
その後、タンクコントローラ２６は、ＳＴＥＰ９へ進む。ＳＴＥＰ９においては前述の通り、止水有りでなければＳＴＥＰ２へ戻り、止水有りのときＳＴＥＰ１へ戻る。
【００６２】
また、ＳＴＥＰ２において燃焼給湯器３の連携が不可能であると判断されたことによりＳＴＥＰ１０へ進んだ場合、タンクコントローラ２６は、昼間の時間帯であっても、ヒートポンプ２による貯湯タンク４内の湯水の沸かし上げ動作を行うモードとなる。これにより、貯湯タンク４の第１貯湯サーミスタ２４の検出温度は常時沸かし上げ温度に維持される（即ち、貯湯タンク４の湯量が所定量以上に維持される）ため、貯湯タンク４の湯切れは生じない。即ち、ＳＴＥＰ１０を経た場合、ＳＴＥＰ１１〜ＳＴＥＰ１４の処理は、常時沸かし上げモードによる運転となる。
【００６３】
そして、タンクコントローラ２６は、ＳＴＥＰ１１で給湯器コントローラ４０に対して燃焼給湯器３の運転を禁止し、ＳＴＥＰ１２でバイパス弁２２を開弁させ、ＳＴＥＰ１３で給湯器コントローラ４０を介して水量サーボ４４を閉弁させる。
【００６４】
なお、ＳＴＥＰ１０を経ていることにより、例えば、タンクコントローラ２６と給湯器コントローラ４０とが通信不能である場合には、ＳＴＥＰ１１の処理やＳＴＥＰ１３の処理に関するタンクコントローラ２６の信号を給湯器コントローラ４０で受信することはできない。しかし、タンクコントローラ２６と給湯器コントローラ４０とが通信可能であって、燃焼給湯器３のバーナ３９による燃焼運転にのみ支障がある等の場合には、ＳＴＥＰ１１やＳＴＥＰ１３の処理が可能である。そして、ＳＴＥＰ１３により燃焼給湯器３の水量サーボ４４を閉弁させることにより、給湯器回路１８への湯水の流れを遮断することができ、貯湯タンク４からの湯水を確実に出湯バイパス管１９を介して出湯栓に送ることができる。
【００６５】
次いで、ＳＴＥＰ１４で混合温調制御を実行し、ＳＴＥＰ９へ進む。ＳＴＥＰ９においては前述の通り、止水有りでなければＳＴＥＰ２へ戻り、止水有りのときＳＴＥＰ１へ戻る。
【００６６】
以上のように、タンクコントローラ２６は、燃焼給湯器３が故障等により正常な連携が不可能であるとき、燃焼給湯器３が修理される等により正常な連携が可能となるまで、常時沸かし上げモード（ＳＴＥＰ１０）によりＳＴＥＰ１１〜ＳＴＥＰ１４の処理を行う。これにより、燃焼給湯器３との正常な連携が不可能であっても、常にヒートポンプ２による沸かし上げ運転が行われて貯湯タンク４に湯切れが生じることなく、使用者が所望する温度での給湯を円滑に行うことができる。
【００６７】
なお、ＳＴＥＰ１０を経た場合のＳＴＥＰ１１〜ＳＴＥＰ１４の処理を実行中、ヒートポンプ２の沸かし上げ動作は、夜間電気料金が適用されない時間帯であっても行われるが、ＳＴＥＰ２において燃焼給湯器３の連携が不可能であると判断された場合に限るものである。このため、燃焼給湯器３の修理が行われる等により燃焼給湯器３との連携が可能となれば、ＳＴＥＰ２で夜間沸かし上げモードが選択されるので、ＳＴＥＰ２で常時沸かし上げモードが選択された場合におけるヒートポンプ２の作動による電力消費は、必要最小限に抑えることができる。
【００６８】
なお、本実施形態においては、タンク用加熱機としてヒートポンプ２を採用した例を示したが、これに限るものではなく、例えば太陽熱温水器等のたの加熱機も採用することができる。
【符号の説明】
【００６９】
２…ヒートポンプ（タンク用加熱機）、３…燃焼給湯器、４…貯湯タンク、５…出湯管、１９…出湯バイパス管（バイパス管）、２２…バイパス弁、２４…第１貯湯サーミスタ（貯湯量検出手段）、２６…タンクコントローラ（タンク制御手段）、３７…ヒートポンプコントローラ（沸かし上げ制御手段）、３９…バーナ、４０…給湯器コントローラ（給湯器制御手段）。
【要約】
【課題】燃焼給湯器との正常な連携が行えない場合であっても、確実に給湯することができる給湯システムを提供する。
【解決手段】
貯湯タンク４内の湯水を沸かし上げるタンク用加熱機２を設ける。貯湯タンク４の湯水を導出する出湯管５を流れる湯水を加熱する燃焼給湯器３を設ける。出湯管５に、バイパス弁２２を備えるバイパス管１９を設ける。バイパス弁２２を制御するタンク制御手段２６に、燃焼給湯器３との正常な連携が可能か否かを判断する連携可否判断手段を設ける。タンク制御手段２６は、連携可否判断手段により燃焼給湯器３との正常な連携が不可能であると判断されたとき、バイパス弁２２を開弁させると共に、貯湯タンク４の湯量が所定量以上となるようにタンク用加熱機２に貯湯タンク４内の湯水の沸かし上げを実行させる。
【選択図】図１【図１】
0005479559.tif 000002
【図２】
0005479559.tif 000003